(57)【要約】      （修正有）【課題】所定の厚さよりも厚みのある物が回転刃５へと供給されるのを効果的に防止する搬送制御装置を提供する。【解決手段】シュレッダーにおけるシートの搬送状態を制御する搬送制御装置１であって、シートが搬送される搬送面１１と対向配置され、シートを処理される方向へと搬送する第１の回転刃５０と、搬送面に対して所定間隔をあけて対向配置された回転ローラ２０と、第１の回転刃の回転力によって同一方向に回転する第１のギア３０と、第１のギアに連動されて回転ローラを第１の回転刃とは逆方向に回転させる第２のギア３１と、を含んで構成され、回転ローラが搬送面から離反する方向に変位することによって、第２のギアが第１のギアに係合する方向に変位し、第２のギアが第１のギアに連動され、回転ローラを第１の回転刃とは逆方向に回転させる。【選択図】図１
0003155528.tif 000002
【実用新案登録請求の範囲】
【請求項１】
シート材に所定の処理を施すシート処理機（２）におけるシートの搬送状態を制御する搬送制御装置（１）であって、
シートが搬送される搬送面（１１）と対向配置され、シートを処理される方向へと搬送する第１の回転体（５０）と、
前記搬送面（１１）に対して所定間隔をあけて対向配置された第２の回転体（２０）と、
前記第１の回転体（５０）に連動されて前記第２の回転体（２０）を前記第１の回転体（５０）とは逆方向に回転させるギア（３０，３１）と、を設け、
前記所定間隔を超える厚みを有する搬送物を前記第２の回転体（２０）によって搬送方向とは逆の方向に戻すように構成したことを特徴とする搬送制御装置。
【請求項２】
前記ギア（３０，３１）は、前記第１の回転体（５０）の回転力によって、該第１の回転体（５０）と同一方向に回転する第１のギア（３０）と、該第１のギア（３０）に連動されて前記第２の回転体（２０）を前記第１の回転体（５０）とは逆方向に回転させる第２のギア（３１）と、を含んで構成され、
前記第２の回転体（２０）が前記搬送面（１１）から離反する方向に変位することによって、前記第２のギア（２０）が前記第１のギア（３１）に係合する方向に変位し、前記第２のギア（３１）が前記第１のギア（３０）に連動されることを特徴とする請求項１に記載の搬送制御装置。
【請求項３】
前記第１の回転体（５０）、前記第２の回転体（２０’）、前記第１のギア（３０’）及び前記第２のギア（３１’）のセットを２セット設け、所定の間隔をあけて対向配置された搬送面（１０，１１）上に、前記第２の回転体（２０’，２０’）、がそれぞれ配設されるようにしたことを特徴とする請求項２に記載の搬送制御装置。
【請求項４】
前記第１のギア（３０）は、前記第１の回転体（５０）の回転軸との間に掛け渡された巻き掛け伝動装置（５２）を介して回転されることを特徴とする請求項２又は請求項３に記載の搬送制御装置。
【請求項５】
前記第１の回転体（５０）は、シートを巻き込みながら裁断する回転刃であることを特徴とする請求項１〜請求項４のいずれか１つの請求項に記載の搬送制御装置。
【請求項６】
前記搬送面（１１）と前記第２の回転体（２０）との間の間隔は、幼児の指の厚みよりも狭い幅に設定されたことを特徴とする請求項５に記載の搬送制御装置。
【考案の詳細な説明】
【技術分野】
【０００１】
本考案は、紙やコンパクトディスク等のシートに対し、裁断や印刷等の所定の処理を施すためのシート処理機において、所定の厚みのシートのみが処理部へと供給されるように、シートの搬送状態を制御する搬送制御装置に関する。
【背景技術】
【０００２】
シュレッダーやカード裁断機などの裁断機、コピー機やプリンターなどの印刷装置等、シートに対し所定の処理を行うシート処理機においては、規定の枚数のシートが裁断や印刷等を行なう処理部へと供給されることが望まれる。また、処理に適しないものが処理部に供給されてしまうことを防止する必要もある。
例えば、シュレッダーやカード裁断機などの裁断機においては、シートの投入口に誤って指を挿入したり、投入口にネクタイ等が巻き込まれるのを防止するための技術として、特許文献１及び特許文献２に示されたものがある。
【０００３】
特許文献１では、シュレッダーの投入口に人の指などの望ましくない対象物が進入するのを検知するために、投入口の近傍に人や動物の存在を検知する近接センサを設ける技術が開示されている。特許文献２では、ネクタイ等がカッターに巻き込まれることを防止するために、上部に凹み部を設けたペーパーガイドを裁断機の用紙投入口の周辺に設置する技術が開示されている。
また、紙葉類搬送装置においてシートを一枚ずつ供給する方法として、特許文献３及び特許文献４に示すものがある。
【０００４】
シート同士の吸着やひっかかり等によって、シートが搬送路へと供給されなかった場合に、特許文献３では、シートのホッパテーブルを下降させ、ホッパテーブルから搬送路へと続く傾斜状の供給ガイドによってシートをずらしながら、沈下上昇させることによって、搬送ローラと使用類の接触面をずらし、より高い摩擦駆動力を得ることによって供給を再開する技術が開示され、特許文献４では、同様にシートのホッパテーブルを下降させ、シートの自重と供給ガイドの傾斜によって、シートをずらしながら沈下させて、シートを手でさばいたときと同様の動作をさせ、シートが供給されなかった要因を取り除いた後に再度ホッパテーブルを上昇させて供給を再開する技術が開示されている。
【特許文献１】特開２００５−９５８９８号公報
【特許文献２】特開平０５−１１５８０７号公報
【特許文献３】特開平０９−１６５１１８号公報
【特許文献４】特開平０７−２２８３９０号公報
【考案の開示】
【考案が解決しようとする課題】
【０００５】
しかしながら、特許文献１に開示の技術には、人や動物などの望ましくないものと、裁断しようとする物とを区別して検知できる近接センサが必要である上に、センサの配設位置によっては、被裁断物を差し込む際の作業者の手などにも反応してしまい、裁断作業に支障を来す虞がある。
【０００６】
特に、被裁断物が挿入されると同時に自動的に裁断刃が回転する構成のシュレッダーにおいては、被裁断物の挿入を検知するセンサが別個に必要になるので、それぞれのセンサの性能や構造が複雑化する上に、取り付け位置の調節が困難である。このため、製造コストが嵩み、商品価格が高くなるので、家庭用のシュレッダーとして普及させるには難しい。
【０００７】
特許文献２に開示の技術は、無意識のうちにネクタイが裁断されるといった事態は低減できるかもしれないが、幼児の悪戯等によって、意識的に用紙投入口に指などを挿入する場合には効果がない。
特許文献３及び特許文献４の技術は、シートの搬送路への供給が停止した際に、搬送を再開させるための技術としては好ましいが、所定の厚みより厚いシートが搬送された場合に、それを搬送方向とは逆方向に移動させることができず、好ましくない物が処理部へと供給されるのを防止することはできない。
【０００８】
そこで、本考案は、シート処理機において、簡単な構造でありながら、所定の厚さよりも厚みのある物が処理部へと供給されるのを効果的に防止できる搬送制御装置の提供を目的とする。
【課題を解決するための手段】
【０００９】
上記課題を解決するために、本考案にかかる搬送制御装置は、シート材に所定の処理を施すシート処理機におけるシートの搬送状態を制御する搬送制御装置であって、シートが搬送される搬送面と対向配置され、シートを処理される方向へと搬送する第１の回転体と、前記搬送面に対して所定間隔をあけて対向配置された第２の回転体と、前記第１の回転体に連動されて前記第２の回転体を前記第１の回転体とは逆方向に回転させるギアと、を設け、前記所定間隔を超える厚みを有する搬送物を前記第２の回転体によって搬送方向とは逆の方向に戻すように構成したことを特徴とするものである。
【００１０】
この場合、前記ギアは、前記第１の回転体の回転力によって、該第１の回転体と同一方向に回転する第１のギアと、該第１のギアに連動されて前記第２の回転体を前記第１の回転体とは逆方向に回転させる第２のギアと、を含んで構成され、前記第２の回転体が前記搬送面から離反する方向に変位することによって、前記第２のギアが前記第１のギアに係合する方向に変位し、前記第２のギアが前記第１のギアに連動されることを特徴とするものであってもよい。
【００１１】
また、前記第１の回転体、前記第２の回転体、前記第１のギア及び前記第２のギアのセットを２セット設け、所定の間隔をあけて対向配置された搬送面上に、前記第２の回転体がそれぞれ配設されるようにしてもよい。
また、前記第１のギアは、前記第１の回転体の回転軸との間に掛け渡された巻き掛け伝動装置を介して回転されることを特徴とするものであってもよい。
【００１２】
また、前記第１の回転体は、シートを巻き込みながら裁断する回転刃５であってもよい。
この場合、前記搬送面と前記第２の回転体との間の間隔は、幼児の指の厚みよりも狭い幅に設定されていてもよい。
【考案の効果】
【００１３】
請求項１に係る搬送制御装置は、シートを処理される方向へと搬送する第１の回転体と、シートが搬送される搬送面に対して所定間隔をあけて対向配置された第２の回転体と、第１の回転体に連動されて第２の回転体を逆方向に回転させるギアとを設け、所定間隔を超える厚みを有する搬送物を、搬送方向とは逆の方向に戻すように構成したので、第１の回転体の回転力を利用して、第２の回転体の周面に接触した搬送物を、効率的に逆方向へと戻すことができる。
【００１４】
これによって、搬送面と第２の回転体との間の幅よりも厚い搬送物が搬送された場合に、その搬送物が処理されることを防止することができるようになる。
このため、例えば、シートに裁断処理を施す裁断機において、搬送面と第２の回転体との間の幅を裁断刃の裁断能力に応じた長さに設定しておくことによって、裁断刃にシートが噛みこまれてしまうといった事態や、指やネクタイ等の裁断されるべきでないものが裁断刃へと供給されるのを防止することができる。
【００１５】
また、例えば、シートに印刷処理等を施す印刷装置においては、搬送面と第２の回転体との間隔をシート材の厚みに合せて設定しておくことで、シートが印刷部へと一枚ずつ供給されるようにすることができるし、規定外の厚みのシートが給紙フィーダ等に投入された場合に、そのシートを搬送方向とは逆方向に戻すことで、そのシートに印刷処理が施されるのを防ぐことができる。
なお、ここで、搬送面とは、水平方向に搬送される場合においては、シートが載置されて搬送される側の通路面であり、垂直方向に搬送される場合においては、通路を構成する壁面のうちの何れか一部の壁面をいうものとする。
【００１６】
請求項２に係る搬送制御装置では、第１の回転体の回転方向と同一方向に回転する第１のギアと、この第１のギアに連動されて逆方向に回転される第２のギアとを設け、第２の回転体が搬送面から離反する方向に変位することによって、第２のギアが第１のギアに係合する方向に変位し、第２のギアが第１のギアに連動されるようにしたので、搬送面と第２の回転体との間隔よりも幅の広い物が搬送された場合、第２の回転体が搬送面から離反する方向に変位して第２のギアが第１のギアに係合されるので、初期状態において自由回転していた第２の回転体が、搬送方向とは逆方向に回転し、搬送物を処理部から遠ざける方向へと移動させることができる。
【００１７】
これによって、規定の厚さのシートが搬送される場合は、第２の回転体を、搬送物に従って搬送方向に回転するコロとして機能させ、規定以上の厚さのシートが搬送された場合は、逆方向に回転する戻しローラとして機能させることができ、一層効果的に搬送状態を制御できるようになる。
【００１８】
請求項３に係る搬送制御装置は、第１の回転体、第２の回転体、第１のギア及び第２のギアのセットを２セット設け、所定の間隔をあけて対向配置された搬送面上に、第２の回転体がそれぞれ配設されるようにしたので、いずれの面にシートが接触して搬送された場合であっても、シートの搬送を制御することができる。
これによって、２つの垂直面によって垂直方向の通路が形成されている場合など、搬送中のシートが何れの面にも接触し得る場合においても、所定範囲内の厚さのシートが搬送される場合におけるコロとしての機能と、所定範囲を超える厚み規定以上の厚さのものが搬送された場合における戻しローラとしての機能が実現可能となる。
【００１９】
請求項４に係る搬送制御装置は、第１のギアを、第１の回転体の回転軸との間に掛け渡された巻掛け伝動装置を介して回転されるようにしたので、第２の回転体から離れたところに第１の回転体が設けられている場合であっても効果的にシートの搬送を制御することができる。
請求項５に係る搬送制御装置は、第１の回転体を、シートを巻き込みながら裁断する回転刃としたので、シュレッダーやカード裁断機などの裁断機において、裁断されるべきでないものが、回転刃へと搬送されるのを防止することができる。
これによって、作業者の指やネクタイ等が裁断されるのを効果的に防止することができるし、また、回転刃の裁断能力を超えたものが裁断刃へと供給されるのを防止することができる。
【００２０】
請求項６に係る搬送制御装置は、搬送面と第２の回転体との間の間隔を、幼児の指の厚みよりも狭い幅に設定したので、幼児がいたずらで回転刃の方向へと指を進入させた際に、第２の回転体によって回転刃の方向とは逆方向に移動させることができるので、指の切断などの大事故に繋がる危険性を低減できる。
【考案を実施するための最良の形態】
【００２１】
本考案の好適な実施形態について、添付図面に基づいて説明する。なお、実施形態は以下の形態に限定されるものではなく、本考案の課題を解決し得るものであれば他の態様も可能である。
【実施例１】
【００２２】
図１は、本考案の第１実施形態の搬送制御装置１を示す斜視図である。この搬送制御装置１は、図２に示すシュレッダー２の投入口３からハウジング４の内部の回転刃５に向けて、シート材を搬送させる際の搬送状態を制御するために使用されるものである。
先ず、本考案に係る搬送制御装置１が適用されるシート処理機としてのシュレッダー２の構成について説明する。
【００２３】
このシュレッダー２は、紙やコンパクトディスクなどのシート状の被裁断物を裁断するものであり、投入口３から投入された被裁断物を、ハウジング４の内部に設けられた回転刃５で裁断処理し、回転刃５（図１参照）の下方に設けられた屑収容箱６に排出するようになっている。
このシュレッダー２のハウジング４の正面には扉８が回動可能に取り付けられている。この扉８を開けば、屑収集箱６が前方に引き出し可能に収容されている。
【００２４】
ハウジング４の上面には、シートを投入するための投入口３が設けられている。
投入口３の下方には、図１に示すように、シートの裁断処理を行うための一対の回転刃５が配設されている。この回転刃５は、筒状体の周面に鋭利な裁断刃を多数設けたもので、２本の筒状体は水平に並列させて配置され、両端部においてハウジング４の壁面に設けられたフレームに回転可能に支承されている。
【００２５】
この回転刃５の上方には、図示しないセンサが取り付けられており、そのセンサが被裁断物の通過を検知することによって、図示しない駆動モータが作動し、筒状の回転刃５が回転し、回転刃５の間を通過する被裁断物を細かく裁断するようになっている。
なお、回転刃５を回転させるための駆動モータは、ハウジング４に設けられた図示しない電源スイッチをＯＮにすることによって閉じる電源回路に接続されている。また、上記回転刃５を駆動させるための一連の機器は、ハウジング４の扉８を開けて屑収集箱６を引き出した際に回転刃５と屑収集箱との間を遮蔽する図示しないシャッターによって、手に直接触れることがないようになっている。
【００２６】
次に、このシュレッダー２に適用される搬送制御装置１について詳述する。シュレッダー２の投入口３から回転刃５に向けて被裁断物の通路が形成されている。
この通路は、ハウジング上面から連続する２枚の壁面部材１０，１１によって形成されており、このうち、背面側の後壁部材１０は、金属製又は合成樹脂製の板部材からなり、通路が拡幅する方向に弾性変形可能となっている。
【００２７】
後壁部材１０の中間部には、図２に示すように、搬送方向と直交する方向に延びるスリット状の開口部１２が設けられている。後壁部材１０の開口部１２が設けられている位置における両側部には、通路とは反対側に向けて取付フレーム１３が形成されており、その取付フレーム１３に、円筒状の回転ローラ２０が支承されている。詳しくは、この回転ローラ２０は、後壁部材１０の開口部１２から通路の方向に向けて僅かに突出した状態で、その周面の一部が開口部１２から露呈されており、前壁部材１１に対して所定間隔をあけて対向配置されている。
【００２８】
この回転ローラ２０は、正逆両方向に回転可能であり、回転軸２１には後述する第２のギア３１が軸着されている。
一方、正面側に配置された前壁部材１１は、シートが搬送される搬送面として機能するもので、ハウジング４の内部の回転刃５に向けて滑らかに湾曲している。
図３に示すように、前壁部材１１と回転ローラ２０との間隔Ｍは、幼児の指の厚みよりも狭い幅（１0ｍｍ以下）であって、回転刃５の裁断能力に応じた幅に設定されている。なお、幼児の指の厚みとは、図４に示す長さＮをいうものとする。
【００２９】
これらの壁面部材１０，１１の下方には、一対の回転刃５が配設されている。この回転刃５は、シートを巻き込みながら裁断処理を行うものであって、裁断処理を行う処理部としての機能と、シートを処理される方向へと搬送する搬送部としての機能を併せ持つものである。
この回転刃５のうち、前壁部材と対向する側に配置された第１の回転刃５０（即ち、後壁部材１０の延長上に位置する回転刃５０）は、シートの背面側の面との接触抵抗によってシートを支持し、そのシートを巻き込みながら搬送する第１の回転体として機能するものである。
【００３０】
この第１の回転刃５０の端部には、プーリー５１が固定されており、そのプーリー５１に巻きかけられた伝動ベルト５２によって、第１の回転刃５０の回転力が、回転ローラ２０の近傍に設けられた第１のギア３０に伝達されるようになっている。
第１のギア３０は、第１の回転刃５０の回転力によって、第１の回転刃５０と同一方向に回転されるようになっている。この第１のギア３０は外歯歯車であり、その外歯から僅かに離れた位置であって、第１のギアと同一平面上に、前記回転ローラ２０の回転軸に軸着された第２のギア３１が配置されている。
【００３１】
この第２のギア３１は、外歯の小歯車であり、第１のギア３０の外歯と係合することによって、第１の回転刃５０の回転よりも速い回転速度で、この第１の回転刃５０とは逆の方向に回転する。
これによって、図３（b）に示すように、回転ローラ２０や後壁部材１０が、前壁部材１１から離反する方向Ａに弾性変形した際に、第２のギア３１が第１のギア３０と噛み合う方向に変位し、第１のギア３０とは反対方向に回転する第２のギア３１によって、回転ローラ２０が第１の回転刃５０とは反対方向に回転される。
【００３２】
上記構成のシュレッダー２において、シートの搬送が制御される状態を、図３を参照して説明する。
裁断作業を行うときは、シートを投入口３に投入する。この際、ハウジング４の正面側から投入口３に向けて滑り込ませるように投入することによって、湾曲状の前壁部材１１の上をシートが円滑に滑り落ち、通路を通過して回転刃５へと至る。この際に、センサによってシートの通過が検知され、回転刃５が駆動する。そして、回転状態の回転刃５の間をシートが通過することによって、シートが回転刃５に巻き込まれながら細かく裁断される。シートが通路を通過する際に後壁部材１０の回転ローラ２０に接触することによって、回転ローラ２０がシートの搬送方向に回転する。その回転状態の回転ローラ２０に後続のシートが接触することによって、順次、シートが円滑に回転刃５へと搬送される。
【００３３】
万一、前壁部材１１と回転ローラ２０との間隔Ｍよりも厚みのあるものが、投入口３に投入された場合、図３（ｂ）に示すように、回転ローラ２０および後壁部材１０が、前壁部材１１から離反する方向Ａに変位し、それに伴って、第２のギア３１が第１のギア３０と係合する。
これによって、シートをハウジング４の内部に引き込む方向に回転している第１の回転刃５０の回転力が、伝動ベルト５２と第１のギア５１を介して伝達され、第１のギア３０とは逆方向に第２のギア３１が回転され、それに伴い、回転ローラ２０が第１の回転刃５０とは反対方向（即ち、シートをハウジング４の外部に押し出す方向）に回転する。
【００３４】
前壁部材１１と回転ローラ２０との間隔Ｍを回転刃５の裁断能力に応じた幅に設定しておくことで、裁断可能枚数を超えてシートが投入された場合に、回転ローラ２０又は後壁部材１０が、前壁部材１１から離反する方向に変位して第２のギア３１が第１のギア３０と噛み合うので、回転ローラ２０に接触しているシートが搬送方向とは逆向きに戻される。これによって、シートを適量ずつ回転刃５に送り込むことができるようになるので、シートが回転刃５に噛み込まれ、回転刃５が停止するといった事態を防止することができる。また、シートが回転刃５に噛み込まれることによる回転刃５の破損を防止することもできる。
【００３５】
また、指が誤って投入口３に挿入された場合であっても、回転ローラ２０によって搬送方向とは反対側に戻されるので、指が回転刃５まで至る可能性を低減できる。
本実施形態に係る搬送制御装置１は、シートに細断処理を施すシュレッダーに適用されたものであるが、シートを所定のサイズに裁断するカード裁断機や、シートを一枚ずつ印刷する印刷装置の給紙用フィーダ等に適用してもよい。
【００３６】
給紙用フィーダに適用する場合は、シートが載置されて搬送される搬送面と対向する側に配置された送りローラが、本考案における第１の回転体として機能することとなる。シート面との接触抵抗によってシートを支持しつつ印刷部へと送り出す送りローラの回転力を、戻しローラとして機能する回転ローラ２０の回転力に効率的に利用することができるので、簡易な装置によって、シートの搬送制御機構を構成することが可能となる。
なお、図５に示す変形例のように、第１の回転刃５０、送りローラ２０’、第１のギア３０’及び第２のギア３１’のセットを２セット設け、所定の間隔をあけて対向配置された搬送面１０，１１上に、２つの搬送ローラ２０’，２０’が配設されるようにしてもよい。
【００３７】
このようにすれば、正面側及び背面側のいずれの方向からシートを投入しても、適量のシートが投入された際は、図５（ａ）のように、回転ローラ２０’のコロの作用によって円滑に回転刃５へと搬送され、規定の枚数を超えて投入された場合、又は指などの裁断されるべきでないものが挿入された場合は、図５（ｂ）に示すように、回転ローラ２０’による戻し作用によって、回転刃５へと搬送されないようにすることができる。
【００３８】
本実施形態においては、第１のギア３０は、第１の回転刃５０の回転軸との間に掛け渡された伝動ベルト５２を介して回転されるようにしたが、第１の回転刃５０の回転軸に軸着された第１のギア３０’の半径を、回転ローラ２０までの距離に合せれば、伝達ベルトのような巻き掛け伝動装置を利用する必要もない。或いは、第１の回転刃５０と第１のギア３０との間に複数段のギアを設け、そのギアを介して、第１の回転刃５０の回転力が伝達されるようにしてもよい。
【００３９】
さらに、前壁部材１１と回転ローラ２０との間の間隔Ｍは、安全性に対する配慮から幼児の指の厚みよりも狭い幅に設定したが、必ずしも幼児の指の厚みよりも狭くする必要もない。
【実施例２】
【００４０】
図６は、本考案の第２実施形態に係る搬送制御装置１’を示す断面図である。この搬送制御装置１’は、ハウジング４の側面に投入口３があるシート裁断機の投入口部分に適用されたものである。
この搬送制御装置１’は、シートを搬送面に載置して例えば水平方向に搬送する際に、シートの搬送を効果的に制御できるものである。
【００４１】
搬送面１５の延長上には、シートの裁断処理を行う回転刃５が上下に並んで配置されている。上方に配置された第１の回転刃５０は、シートの上面と接触し、その接触抵抗によってシートを支持しつつ搬送する。そして、下方の回転刃と協同してシートに裁断処理を施すように構成されている。
上記第１の回転刃５０は、筒状体の周面に設けられた外歯歯車としても機能し、その外歯と噛み合うようにギア４０が設けられている。このギア４０は、図７に示すように、中央部が内側に向けて窪んでおり、その窪みに内歯が形成されている。その内歯に、回転ローラ２０の回転軸２１に軸着された小歯車４１が噛み合っている。この小歯車４１は、ギア４０の回転によってギア４０と同一の方向に回転する。
【００４２】
回転ローラ２０は、搬送面１５の上方側に所定の間隔Ｍを開けて対向配置されており、ギア４０の回転によってギア４０と同一の方向に回転する小歯車４１によって、上方の回転刃５０のとは反対方向に回転される。
これによって、上方の回転刃５０の回転力を直接利用して、搬送方向とは逆の方向に回転ローラ２０を回転させることができる。
これによって、所定間隔Ｍよりも厚みのあるものが搬送された際に、その搬送物を逆方向へと戻すことができる。
【００４３】
なお、この実施形態では、ギア４０を、上方の回転刃５０と噛み合って回転する外歯と、小歯車を同一方向に回転させる内歯とを有する構成とすることで、ギア４０と同一方向に回転する小歯車４１によって、回転ローラ２０を上方の回転刃５０とは逆方向に回転させることとしたが、図８に示すように、回転ローラ２０の回転軸にギア４５を軸着し、そのギア４５の外歯が第１の回転刃５０の回転軸に軸着されたギア４６の外歯と噛み合うことによって、第１の回転刃５０の回転力を利用して、回転ローラ２０を第１の回転刃５０とは逆方向に回転させてもよい。
【産業上の利用可能性】
【００４４】
本考案は、シートに裁断処理を施す裁断機、シートに印刷処理を施す印刷機、その他、シート材に所定の処理を施す装置であれば如何なる装置においても適用することができる。
【図面の簡単な説明】
【００４５】
【図１】本考案の第１実施形態に係る搬送制御装置を示す斜視図である。
【図２】上記搬送制御装置が適用されるシュレッダーを示す斜視図である。
【図３】上記搬送制御装置の使用状態を示す説明図であり、（ａ）は通常の状態を示し、（ｂ）は通路が拡幅された状態を示す。
【図４】幼児の指の厚みを示す説明図である。
【図５】上記搬送制御装置の変形例を示す説明図であり、（ａ）は通常の状態を示し、（ｂ）は通路が拡幅された状態を示す。
【図６】本考案の第２実施形態に係る搬送制御装置を示す説明図である。
【図７】上記搬送制御装置に適用されるギアの断面を示す説明図である。
【図８】上記搬送制御装置の変形例を示す斜視図である。
【符号の説明】
【００４６】
１・・・搬送制御装置
２・・・シュレッダー（シート処理機）
３・・・投入口
４・・・ハウジング
５・・・回転刃
６・・・屑収容箱
８・・・扉
１０・・・後壁部材
１１・・・前壁部材
１２・・・開口部
１３・・・取付フレーム
１５・・・搬送面
２０・・・回転ローラ（第２の回転体）
２１・・・回転軸
３０、３０’・・・第１のギア
３１・・・第２のギア
４０・・・ギア
４１・・・小歯車
４５・・・ギア
４６・・・ギア
５０・・・第１の回転刃（第１の回転体）
５１・・・プーリー
５２・・・伝動ベルト
【図１】
0003155528.tif 000003
【図２】
0003155528.tif 000004
【図３】
0003155528.tif 000005
【図４】
0003155528.tif 000006
【図５】
0003155528.tif 000007
【図６】
0003155528.tif 000008
【図７】
0003155528.tif 000009
【図８】
0003155528.tif 000010